(57)【要約】【課題】      釣り用仕掛けにハリス付き釣り針を所定の方向に向けて容易に取り付けることができる釣り針保持具を提供することである。【解決手段】  釣り針保持具１は基板２に釣り針係止部４と釣り針の保持部３を有し、釣り針係止部４にハリス付き釣り針Ｔの釣り針ｔ１の湾曲部（ふところ部）Ｗが係止され、保持部３にて釣り針ｔ１の軸部Ｇが保持されるようになっている。釣り針保持具１に取り付けたハリス付き釣り針Ｔのハリスｔ２を釣り用仕掛け１０の自動ハリス止め１２ｂに差し込んで、把持部５の指掛け孔に指Ｕを差し込んで基板２を前端２ａ側に引くと基板２の釣り針係止部４に釣り針ｔ１が係止されているためこれに連動してハリスｔ１の端部が引かれて、釣り針ｔ１の針先が所定方向を向いて確実に狭持される。【選択図】        図１
2009106243.tif 000002
【特許請求の範囲】
【請求項１】
基板に釣り針係止部と該釣り針係止部に係止した釣り針を前記基板に対し交差方向に保持する保持部を設けたことを特徴とする釣り針保持具。
【請求項２】
釣り針係止部は釣り針の湾曲部が係止される釣り針係止孔であることを特徴とする請求項１記載の釣り針保持具。
【請求項３】
保持部は釣り針の軸部を狭持する一対の狭持部からなることを特徴とする請求項１または２に記載の釣り針保持具。
【請求項４】
基板の針掛け部の前端側に把持部を設けたことを特徴とする請求項１乃至３のいずれか１つに記載の釣り針保持具。
【請求項５】
把持部は基板に設けた指掛け孔からなることを特徴とする請求項４に記載の釣り針保持具。
【発明の詳細な説明】
【技術分野】
【０００１】
本発明は、ハリスを有する釣り針を係止して仕掛けに取り付けるための釣り針保持具に関する。
【背景技術】
【０００２】
従来から釣り用仕掛けの幹糸の取付部にハリス付き釣り針を取り付ける際に、釣り針の向きが狙った方向と異なる方向を向いて取り付いてしまうことがしばしばあった。
幹糸の取付部に設けた自動ハリス止め等にハリスを狭持するときに釣り針の重さでハリスが周方向に回りやすくなり取り付け方向を決めることが難しかった。
例えば特許文献１には、ハリス付き釣り針が収納された釣り針用包装体が記載されているが、釣り針が基板に沿って寝て係止され、また、ハリスは折り畳まれた釣り針用包装体の内部に収納されているため、釣り用仕掛けにハリス付き釣り針を取り付ける際にハリス付き釣り針を釣り針用包装体から取り外して行わなければならず、釣り針の方向を適切な方向に向けて取り付けることを難しくしていた。
【特許文献１】特開平１１−２６６７６５号公報
【発明の開示】
【発明が解決しようとする課題】
【０００３】
解決しようとする問題点は、釣り用仕掛けにハリス付き釣り針を取り付ける際に釣り針用包装体からハリス付き釣り針を取り外して行わなければならず、釣り針が狙った方向に向いて取り付かないことである。
【０００４】
本発明の目的は前記欠点に鑑み、釣り用仕掛けにハリス付き釣り針を狙った所定の方向に向けて容易に取り付けることができる釣り針保持具を提供することである。
【課題を解決するための手段】
【０００５】
本発明の請求項１は、基板に釣り針係止部と該釣り針係止部に係止した釣り針を前記基板に対し交差方向に保持する保持部を設けたことを要旨とするものである。
本発明の請求項２は、釣り針係止部は釣り針の湾曲部が係止される釣り針係止孔であることを要旨とするものである。
本発明の請求項３は、保持部は釣り針の軸部を狭持する一対の狭持部からなることを要旨とするものである。
本発明の請求項４は、基板の針掛け部の前端側に把持部を設けたことを要旨とするものである。
本発明の請求項５は、把持部は基板に設けた指掛け孔からなることを要旨とするものである。
【発明の効果】
【０００６】
本発明により、釣り用仕掛けにハリス付き釣り針を狙った方向に向けて容易に取り付けることができる。
【発明を実施するための最良の形態】
【０００７】
以下、本発明を説明すると、図１から図４は第１実施例で、図１は釣り針保持具の縦方向断面図、図２は釣り針保持具の平面図、図３は釣り針保持具の横方向断面図、図４は釣人がハリス付き釣り針を取り付ける説明図である。
【０００８】
釣り針保持具１は基板２に釣り針係止部４と釣り針の保持部３を有し、釣り針係止部４にハリス付き釣り針Ｔの釣り針ｔ１の湾曲部（ふところ部）Ｗが係止され、保持部３にて釣り針ｔ１の軸部Ｇが保持されるようになっている。
【０００９】
基板２は合成樹脂等で形成された板状体で透光性を有し上面２ｄ、下面２ｃがそれぞれ反対側から基板２を通して視認できるようになっている。
基板２に設けられた釣り針係止部４は基板２の上面２ｄ、下面２ｃ方向に貫通する釣り針係止孔で、釣り針ｔ１の湾曲部（ふところ部）Ｗの断面形状と合致する丸孔とこれに連なる切り欠き孔４ａが形成されている。
【００１０】
基板２の上面２ｄ側の釣り針係止部４より後端２ｂ側に基板２より軟らかい材料の発泡合成樹脂からなりその上面側に前後方向（前端２ａ、後端２ｂ方向）に延びる溝Ｍが形成された保持部３が取り付けられている。
保持部３の溝Ｍは複数並設され、その内側の両側に一対の狭持部３ａ、３ａが形成され釣り針ｔ１の軸部Ｇを狭持できるようになっている。
【００１１】
さらに、基板２の釣り針係止部４より前端２ａ側に把持部５が形成され基板２を手で掴むことができるようになっている。
把持部５は手で掴むことが可能な幅が基板２の釣り針係止部４より前端２ａ側にあれば良いが、この実施例の把持部５は確実に基板２を掴んで前端２ａ側に引くことができるように上面２ｄ、下面２ｃ方向に貫通する指掛け孔が形成されている。
【００１２】
釣り針保持具１にハリス付き釣り針Ｔが係止されるときは、釣り針ｔ１の針先を基板２の上面２ｄ側から釣り針係止部４の釣り針係止孔差し込んで、その丸孔部分に湾曲部（ふところ部）Ｗを係止して、軸部Ｇを保持部３の溝Ｍに差し込んで、基板２の前端２ａ、後端２ｂ方向に直線状に延びる溝Ｍに沿って一対の狭持部３ａ、３ａで狭持して保持する。
この時釣り針ｔ１は、その軸部Ｇと湾曲部（ふところ部）Ｗと針先で囲まれて形成される平面が基板２と交差方向に保持され針先が下面２ｃ側に突出し、釣り針ｔ１は、釣り針ｔ１が基板２の前端２ａ側、ハリスｔ２が基板２の後端２ｂ側を向いている。
また、この時、釣り針ｔ１が基板２と略直行する様に保持されるとより好ましい。
【００１３】
ハリス付き釣り針Ｔは釣り針ｔ１と釣り針ｔ１の軸部Ｇに取り付けられたハリスｔ２からなり、ハリスｔ２は保持部３の溝Ｍの後端２ｂ側から突出し基板２の後端２ｂから後方に突出している。
ハリスｔ２の後端側に瘤部（結び瘤）ｔ３が形成されている。
【００１４】
釣り針保持具１に取り付けたハリス付き釣り針Ｔを釣り用仕掛け１０の取付部１２に装着するときは、釣り針保持具１に取り付けたハリス付き釣り針Ｔのハリスｔ２の端部を釣り用仕掛け１０の幹糸１１に取り付けたビーズ玉１２ａから外方に突出した自動ハリス止め（狭持部）１２ｂの狭持孔１２ｃに瘤部（結び瘤）ｔ３を含めて挿通し、基板２の上面２ｄと下面２ｃをひっくり返し下面２ｃを上方にする。
この時、ハリス付き釣り針Ｔの釣り針ｔ１は針先が上方を向いた所定の方向を向いて、ハリスｔ２は自然状態で基板２の後端２ｂ側にまっすぐ延びている。
なお、ハリス付き釣り針Ｔの下端には重りＯが取り付けられている。
【００１５】
次に、把持部５の指掛け孔に指Ｕを差し込んで自動ハリス止め１２ｂの狭持孔１２ｃの奧（狭持部）にハリスｔ２の端部を誘導しながら基板２をその前端２ａ側に引くと基板２の釣り針係止部４に釣り針ｔ１が係止されているため連動してハリスｔ２の端部が引かれて、釣り針ｔ１の針先が上方を向いたまま自動ハリス止め（狭持部）１２ｂの狭持孔１２ｃに確実に狭持される。
ハリスｔ１は瘤部（結び瘤）ｔ３を有しているため確実に狭持孔１２ｃに狭持され、釣り用仕掛け１０にハリス付き釣り針Ｔが針先が上方を向いた所定の方向を向いて取り付けられる。
【００１６】
この取付けにあたり、基板２が透光性を有するため基板２を通してハリスｔ２や釣り用仕掛け１０の取付部１２が見えるため取り付け作業が容易に行える。
ハリス付き釣り針Ｔが釣り用仕掛け１０に取付けられた後に、釣り針ｔ１の針先を釣り針係止部４（釣り針係止孔）からその丸孔に連なる切り欠き孔４ａを広げながら取り外しできる。
なお、本願の釣り針保持具１はハリス付き釣り針Ｔが初めから装着された状態としたが、ハリス付き釣り針Ｔは釣り人が好みのものを取り付けてもよい。
【００１７】
図５は第２実施例の釣り針保持具の縦方向断面図で、釣り針係止部４の釣り針係止孔と把持部５の指掛け孔が一体に形成された例である。
このように形成されるとハリス付き釣り針Ｔの釣り針ｔ１の釣り針係止部４への係止および取り外しが容易に行える。
他の構成は第１実施例と同じである。
【００１８】
図６は第３実施例の釣り針保持具の縦方向断面図で、釣り針係止部４の釣り針係止孔と把持部５の指掛け孔が一体に形成され、さらに、釣り針係止部４が保持部３の下側に形成された例である。
この釣り針保持具１は釣り針ｔ１を保持部３に保持すると同時にハリス付き釣り針Ｔの釣り針ｔ１が釣り針係止部４に係止され容易に取り付けができる。
【００１９】
本願の第１から第３実施例では把持部５が基板に設けた指掛け孔で形成されたが、指掛け孔を設けずに摘むことができるように基板２を延長してもよい。
また、保持部３を基板２に取り付けたが両者を一体に形成してもよい。
【産業上の利用可能性】
【００２０】
本願は、釣り針保持具全般に利用できる。
【図面の簡単な説明】
【００２１】
【図１】第１実施例で、釣り針保持具の縦方向断面図である。
【図２】同釣り針保持具の平面図である。
【図３】同釣り針保持具の横方向断面図である。
【図４】同釣人がハリス付き釣針を取り付ける説明図である。
【図５】第２実施例で、釣り針保持具の縦方向断面図である。
【図６】第３実施例で、釣り針保持具の縦方向断面図ある。
【符号の説明】
【００２２】
１  釣針保持部
２  基板
３  保持部
４  釣り針係止部
５  把持部
Ｔ  ハリス付き釣り針
【図１】
2009106243.tif 000003
【図２】
2009106243.tif 000004
【図３】
2009106243.tif 000005
【図４】
2009106243.tif 000006
【図５】
2009106243.tif 000007
【図６】
2009106243.tif 000008